(57)【特許請求の範囲】
【請求項１】
側壁に嵌込用窓が貫設されたプレキャストコンクリート製のボックスカルバート本体と、前記嵌込用窓に嵌込可能に形成されるとともに水を出入りさせるための吸排水口が形成された嵌込側壁とを備えた浸透式ボックスカルバート。
【請求項２】
側壁に嵌込用窓が貫設されたプレキャストコンクリート製のボックスカルバート本体と、前記嵌込用窓に嵌込可能に形成された嵌込側壁とを備え、前記嵌込側壁の少なくとも上下２レベルに水を出入りさせるための吸排水口が形成され、最下レベルの吸排水口に管内流量を確保するための流量調整弁が設けられた浸透式ボックスカルバート。
【請求項３】
前記嵌込側壁がプレキャストコンクリート製である請求項１又は２記載の浸透式ボックスカルバート。
【請求項４】
前記嵌込側壁に前記吸排水口となる穴が貫設された請求項１、２又は３記載の浸透式ボックスカルバート。
【請求項５】
前記嵌込側壁の外周縁に前記吸排水口となる凹所が形成された請求項１、２又は３記載の浸透式ボックスカルバート。
【請求項６】
前記嵌込側壁が少なくとも上下２段に分割して形成された請求項１、２、３、４又は５記載の浸透式ボックスカルバート。
【請求項７】
相対的に上段の嵌込側壁の下縁又は相対的に下段の嵌込側壁の上縁に前記吸排水口となる凹所が形成された請求項６記載の浸透式ボックスカルバート。
【請求項８】
前記凹所による吸排水口が横長スリット状である請求項５又は７記載の浸透式ボックスカルバート。
【請求項９】
前記流量調整弁は、管内水位が地盤中の地下水位よりも高い場合には吸排水口を閉じ、低い場合には吸排水口を開く弁である請求項２記載の浸透式ボックスカルバート。
【請求項１０】
前記流量調整弁は、吸排水口の周縁の内壁面に密着して吸排水口を閉じ、該内壁面から離間して吸排水口を開く弁である請求項９記載の浸透式ボックスカルバート。
【請求項１１】
請求項１〜１０のいずれか一項に記載の浸透式ボックスカルバートを複数個連結して構築された浸透式管渠。
【請求項１２】
請求項１〜１０のいずれか一項に記載の浸透式ボックスカルバートを、既設管渠のボックスカルバートの側壁の外側方に並設し、両ボックスカルバートの隣り合う側壁に形成した連通穴を合致させて連通させることにより、既設管渠断面を拡幅して構築された浸透式管渠。
【請求項１３】
前記浸透式ボックスカルバートの側壁の外側方に排水性地盤を形成した請求項１１又は１２記載の浸透式管渠。
【請求項１４】
前記排水性地盤を、砕石、割栗石、廃棄コンクリートガラ等の粒状体を用いて形成した請求項１３記載の浸透式管渠。
【請求項１５】
前記排水性地盤を、前記粒状体と水質浄化材とを用いて形成した請求項１４記載の浸透式管渠。
【請求項１６】
前記吸排水口に流動抵抗及びフィルター作用を有する吸出防止材を配置した請求項１１〜１５のいずれか一項に記載の浸透式管渠。
【請求項１７】
前記浸透式ボックスカルバートの直下に基礎コンクリートを敷設した請求項１１〜１６のいずれか一項に記載の浸透式管渠。
【請求項１８】
前記浸透式ボックスカルバートの直下ないし該直下をはみ出した現場地盤の溝底にまで基礎コンクリートを敷設した請求項１１〜１６のいずれか一項に記載の浸透式管渠。
【請求項１９】
請求項１、２、３、４、５、６、７又は８記載のボックスカルバート本体を現場に搬入した後、前記嵌込用窓に嵌込側壁を嵌込んで浸透式ボックスカルバートを構成するとともに、該浸透式ボックスカルバートを複数個連結することを特徴とする浸透式管渠の構築方法。
【発明の詳細な説明】
【０００１】
【発明の属する技術分野】
本発明は、管内流水を排水して地盤に浸透させたり、地盤中の地下水を管内に吸水したりする機能をもつ浸透式ボックスカルバート、浸透式管渠及びその構築方法に関するものである。
【０００２】
【従来の技術】
大量の雨水がボックスカルバート内に流れ込む等して管内流水が増加した時に、その管内流水の一部を、ボックスカルバートの側壁に形成した雨水浸透用孔から管外の地盤に浸透させるようにした浸透式ボックスカルバートが知られている（例えば実開昭６４−４２３７７号公報）。
また、より大量の雨水を早く浸透させられるものとして、側壁に所要数の雨水浸透用長孔と所要数の多孔管挿入孔とを穿設し、該多孔管挿入孔に長尺の多孔管を取り付けた浸透式カルバートも知られている（特開平８−１８４０９０号公報）。
【０００３】
【発明が解決しようとする課題】
ところが、上記のような浸透式カルバートには、次のような問題があった。
【０００４】
雨水浸透用孔、雨水浸透用長孔又は多孔管挿入孔（以下、雨水浸透用孔等という）を有するボックスカルバートをプレキャストコンクリートで一体成形するには、型の設計・製作や成型時の型抜き等に手間がかかり、コストも高くなる。また、側壁の決まったレベル（高さ）に決まった形状寸法で雨水浸透用孔等を形成し、管内流水をその雨水浸透用孔等から地盤に単純に浸透させているにすぎず、計画管内流量の調整及び浸透量の調整を考慮していない。仮に、雨水浸透用孔等のレベルや形状寸法を種々変更しようとすると、変更毎に新たな型を設計・製作しなければならないため、非現実的である。
【０００５】
平水時・増水時に拘わらず、雨水浸透用孔等からの水の出入りが自由である。よって、管内水位が低い時でもそれが雨水浸透用孔等より上にある場合には、水頭差により必ず管内流水が雨水浸透用孔等から地盤に浸透していくため、本来流水すべき管内流量を確保できない状況が起こる。また、大量の浸透水は現地の地盤を軟弱にし、管渠の不等沈下をもたらす。
【０００６】
そこで、本発明の第一の目的は、計画管内流量の調整及び浸透量の調整を可能にし、製造上の手間及びコストを軽減することにある。第二の目的は、管内水位が低い時における管内流量の確保を可能にすることにある。第三の目的は、管内流量の変化に対応した時間差吸排水を可能にし、現地の地盤の軟弱化や管渠の不等沈下を防止することにある。
【０００７】
【課題を解決するための手段】
上記の課題を解決するために、次の浸透式ボックスカルバート（１）（２）（３）、浸透式管渠（４）（５）及びその構築方法（６）を創作した。但し、浸透式ボックスカルバート（２）は参考例である。
【０００８】
（１）側壁に嵌込用窓が貫設されたプレキャストコンクリート製のボックスカルバート本体と、嵌込用窓に嵌込可能に形成されるとともに水を出入りさせるための吸排水口が形成された嵌込側壁とを備えた浸透式ボックスカルバート。
（２）側壁の少なくとも上下２レベルに水を出入りさせるための吸排水口が形成され、最下レベルの吸排水口に管内流量を確保するための流量調整弁が設けられた浸透式ボックスカルバート。
（３）側壁に嵌込用窓が貫設されたプレキャストコンクリート製のボックスカルバート本体と、嵌込用窓に嵌込可能に形成された嵌込側壁とを備え、嵌込側壁の少なくとも上下２レベルに水を出入りさせるための吸排水口が形成され、最下レベルの吸排水口に管内流量を確保するための流量調整弁が設けられた浸透式ボックスカルバート。
【０００９】
上記（１）（３）においては、次の態様を例示できる。
嵌込側壁の材質及び製法は、特に限定されないが、強度と安価性の点でプレキャストコンクリート製であることが好ましい。
吸排水口は、嵌込側壁に吸排水口となる穴が貫設された態様でもよいし、嵌込側壁の外周縁に吸排水口となる凹所が形成された態様でもよい。後者の場合、嵌込時に、凹所とそれに対峙する嵌込用窓の内周縁とで吸排水口が形成される。
【００１０】
嵌込側壁は、１段でもよいが、少なくとも上下２段に分割して形成された態様が好ましい。１段でも、吸排水口のレベルや形状寸法の異なる嵌込側壁を用意し適宜選択して嵌め込むことにより計画管内流量の調整及び浸透量の調整は可能であるが、上下２段以上に分割すれば、各段に吸排水口を形成できるので、吸排水口のレベルや形状寸法のバリエーションを増やしやすい。
この場合、相対的に上段の嵌込側壁の下縁又は相対的に下段の嵌込側壁の上縁に前記吸排水口となる凹所が形成された態様をとることができる。この場合、嵌込時に、凹所とそれに対峙する嵌込側壁の下縁又は上縁とで吸排水口が形成される。
【００１１】
上記凹所による吸排水口の形状は、特に限定されず、横長スリット状、四角穴、半丸穴等を例示できる。また、上記穴による吸排水口の形状は、特に限定されず、四角穴、丸穴、半丸穴等を例示できる。
【００１２】
上記（２）（３）においては、次の態様を例示できる。
流量調整弁は、管内水位が地盤中の地下水位よりも高い場合には吸排水口を閉じ、低い場合には吸排水口を開く弁であることが好ましい。
この場合、流量調整弁の構造は、特に限定されないが、吸排水口の周縁の内壁面に密着して吸排水口を閉じ、該内壁面から離間して吸排水口を開く弁である態様を例示できる。
【００１３】
（４）上記（１）（２）（３）又は各態様の浸透式ボックスカルバートを複数個連結して構築された浸透式管渠。
（５）上記（１）（２）（３）又は各態様の浸透式ボックスカルバートを、既設管渠のボックスカルバートの側壁の外側方に並設し、両ボックスカルバートの隣り合う側壁に形成した連通穴を合致させて連通させることにより、既設管渠断面を拡幅して構築された浸透式管渠。
【００１４】
上記（４）（５）においては、浸透式ボックスカルバートの側壁の外側方に排水性地盤を形成することが好ましい。排水性地盤は、特に限定されないが、砕石、割栗石、廃棄コンクリートガラ等の粒状体を用いて形成することが好ましく、該粒状体と水質浄化材とを用いて形成することがさらに好ましい。
【００１５】
また、吸排水口に流動抵抗及びフィルター作用を有する吸出防止材を配置することが好ましい。
また、浸透式ボックスカルバートの直下に基礎コンクリートを敷設することが好ましい。
さらには、浸透式ボックスカルバートの直下ないし該直下をはみ出した現場地盤の溝底にまで基礎コンクリートを敷設することが好ましい。
【００１６】
（６）上記（１）（３）又は各態様のボックスカルバート本体を現場に搬入した後、嵌込用窓に嵌込側壁を嵌込んで浸透式ボックスカルバートに組み立てるとともに、該浸透式ボックスカルバートを複数個連結することを特徴とする浸透式管渠の構築方法。
【００１７】
【発明の実施の形態】
［第一実施形態］
図１〜図９は第一実施形態の浸透式管渠を示している。この浸透式管渠に使用される浸透式ボックスカルバート１は、図２に示すように、底版３と一対の側壁４と頂版５とを備え、側壁４に嵌込用窓６が貫設されたプレキャストコンクリート製のボックスカルバート本体２と、嵌込用窓６に嵌込可能に且つ上下２段（３段以上でもよい）に分割して形成されたプレキャストコンクリート製の嵌込側壁１０，１５とを備えている。嵌込用窓６は、側壁４の四辺を額縁状に残す大きな四角穴として形成されている。
【００１８】
下段の嵌込側壁１０の下部には、最下レベルの吸排水口１１となる例えば３つの丸穴が横に並ぶように形成され、該吸排水口１１には管内流量を確保するための流量調整弁１２が設けられている。流量調整弁１２は、吸排水口１１の周縁の内壁面に対し上端がヒンジ（図示略）により取り付けられたフラップ型の弁で、管内水位が地盤中の地下水位よりも高い場合には吸排水口１１の周縁の内壁面に密着して吸排水口１１を閉じ、低い場合には該内壁面から離間して吸排水口１１を開くようになっている。
【００１９】
上段の嵌込側壁１５の下縁及び上縁にはそれぞれ中レベルの吸排水口１６及び最上レベルの吸排水口１７となる横長の凹所が形成されている。すなわち、嵌込用窓６に嵌込側壁１０，１５を嵌め込んだときに、嵌込側壁１５の下縁の凹所とそれに対峙する嵌込側壁１０の上縁とで中レベルの吸排水口１６が形成され、嵌込側壁１５の上縁の凹所とそれに対峙する嵌込用窓６の内周縁とで最上レベルの吸排水口１７が形成される。また、本例では、中レベルの吸排水口１６よりも最上レベルの吸排水口１７の方が、口高さ及び開口面積が大きく設定されている。
【００２０】
なお、浸透式ボックスカルバート１として、図３又は図４に示すような変更例を使用することもできる。
図３に示す第一変更例は、前記嵌込用窓６及び嵌込側壁１０，１５を採用することなく、側壁４に直接、最下レベルの吸排水口１１、中レベルの吸排水口１６及び最上レベルの吸排水口１７を貫設し、各レベルの吸排水口とも例えば３つの丸穴としたものである。
【００２１】
図４に示す第二変更例は、図２の例では上面が平らであった底版３を変更したもので、（ａ）は底版３の上面を中央が低い円弧面状にした例、（ｂ）は底版３の上面を中央が低い斜面にするとともに中央に溝７を形成した例、（ｃ）は底版３の上面の中央に溝７を形成するとともにその両側で厚肉となった底版３に中空部８（発泡樹脂等が詰まっていてもよい）を形成した例である。中央の低い所又は溝７には泥等が堆積しやすいが、低い所又は溝７に堆積した土砂はきわめて容易に清掃することができる利点がある。
【００２２】
さて、上記浸透式ボックスカルバート１を使用して構築される浸透式管渠を、構築方法（施工手順）と共に説明する。
＜ステップ１＞
現地地盤２０を溝底２３の幅がボックスカルバート１の幅より広い溝状に掘削し、溝内側面２１を上広がりの斜面とし、その溝内側面２１に流動抵抗及びフィルター作用を有する吸出防止材２２を敷設する。吸出防止材２２としては、例えば三井石化産資株式会社の商品名「タフネルＥＸ」を使用できる。
【００２３】
＜ステップ２＞
略平らに均した溝底２３に基礎砕石２４、基礎コンクリート２５及び敷モルタル２６を順に敷設する。前記ボックスカルバート本体２を現場の溝外に搬入した後、嵌込用窓６に嵌込側壁１０，１５を嵌込んで浸透式ボックスカルバート１に組み立てる。嵌込側壁１０，１５の目地は、補助的な透水機能を有するため、格別の止水処理を施さなくてもよい（勿論、施してもよい）。なお、流量調整弁１２は、この組立前に（工場又は現場で）嵌込側壁１０に取り付けておく。組み立てた浸透式ボックスカルバート１を敷モルタル２６の上に設置する。
【００２４】
＜ステップ３＞
側壁４及び嵌込側壁１０，１５の外側面における各レベルの吸排水口１１，１６，１７及びその周縁部に、流動抵抗及びフィルター作用を有する吸出防止材２７（フィルター）をあてがって配置する。吸出防止材２７としては、例えば前記「タフネルＥＸ」を使用できる。基礎コンクリート２５上の浸透式ボックスカルバート１の両側に、例えば裏込砕石２８と水質浄化材２９とを交互に敷設してなる排水性地盤３０を形成する。水質浄化材２９としては、例えば呉羽合繊株式会社の商品名「バイオループ」を使用できる。排水性地盤３０の上に吸出防止材３１を敷設する。吸出防止材３１としては、例えば前記「タフネルＥＸ」を使用できる。
【００２５】
＜ステップ４＞
浸透式ボックスカルバート１及び吸出防止材３１の上に掘削土３２を埋め戻し、ボックスカルバート１内の流水を許す。
【００２６】
以上のように構築された浸透式管渠による地盤への排水・浸透と地盤からの吸水のメカニズムについて説明する。まず、浸透式ボックスカルバート１の管内水位よりも排水性地盤３０中の地下水位が低い場合であって、その管内水位が変化したときにおける管内流水の吸排水口１１，１６，１７から地盤３０，２０への浸透状況を以下の▲１▼〜▲４▼に示す。
【００２７】
▲１▼  図５（ａ）に示すように、管内流量が少なく、管内水位が流量調整弁１２付近の低い所にある場合
流量調整弁１２に作用する管内流水による水圧が小さいため、流量調整弁１２は内壁面に当たりはするが密着性は低い。そのため、管内流水の一部が吸排水口１１から排水されて排水性地盤３０へ浸透し、続いて現地地盤２０へ浸透する。
【００２８】
▲２▼  図５（ｂ）に示すように、管内流量が状況▲１▼よりも増加し、管内水位が中レベルの吸排水口１６に近付いた場合
流量調整弁１２に作用する管内流水による水圧が大きくなり、流量調整弁１２は内壁面への密着性を増す。そのため、少量の管内流水は吸排水口１１から漏れ出して地盤３０，２０へ浸透するが、管内流量の大部分は管内に確保される。
【００２９】
▲３▼  図６（ａ）に示すように、管内流量が状況▲２▼よりも増加し、管内水位が中レベルの吸排水口１６に達し又は越えた場合
流量調整弁１２による管内流量の確保作用は状況▲２▼と同様であるが、管内水位と地下水位との水頭差により、管内流水が中レベルの吸排水口１６から排水されて排水性地盤３０に浸透して地下水位が上昇し、続いて現地地盤２０へ浸透する。つまり、管内流量がある程度確保された状態で、地盤３０，２０への浸透を可能とする。このとき、吸排水口１６に配置した吸出防止材２７が流動抵抗を有するため、管内流水が徐々に地盤３０，２０へ浸透する。また、吸出防止材２７がフィルター作用を奏するため、管内流水に含まれたゴミや土砂の排出が止められて、排水性地盤３０の目詰まりが防止される。
【００３０】
▲４▼  図６（ｂ）に示すように、管内流量が状況▲３▼よりもさらに増加し、管内水位が最上レベルの吸排水口１７に達し又は越えた場合
流量調整弁１２による管内流量の確保作用は状況▲２▼と同様であるが、管内流水が最上レベルの吸排水口１７からも排水されて排水性地盤３０，２０へ浸透する。つまり管内が流水で満たされた場合は、その管内流水を吸排水口１６，１７から効率良く排水して地盤３０，２０へ浸透させる。吸出防止材２７の働きは状況▲２▼と同様である。
【００３１】
次に、浸透式ボックスカルバート１の管内水位が排水性地盤３０中の地下水位よりも低くなった場合であって、その管内水位が変化したときにおける、地盤３０中の地下水の吸排水口１１，１６，１７から管内への吸水状況を以下の▲５▼〜▲８▼に示す。
【００３２】
▲５▼  図７（ａ）に示すように、管内への排水供給量（降雨量）が減少し、排水性地盤３０に比べて管内排水が早くなって、管内流量が状況▲４▼よりも減少し、管内水位が排水性地盤３０の地下水位より低くなった場合
管内水位と地下水位との水頭差により、地盤３０中の地下水が最上レベルの吸排水口１７から管内に吸水される。このとき、吸排水口１７に配置した吸出防止材２７が流動抵抗を有するため、地下水は時間差（時間遅れ）をもって徐々に管内に吸水される。
【００３３】
▲６▼  図７（ｂ）に示すように、管内流量が状況▲５▼よりも減少し、管内水位が中レベルの吸排水口１６より低くなった場合
地盤３０中の地下水が中レベルの吸排水口１６から管内に吸水されるようになる。吸出防止材２７の働きは状況▲５▼と同様である。
【００３４】
▲７▼  図８（ａ）に示すように、管内流量が状況▲６▼よりもさらに減少し、管内水位が最下レベルの吸排水口１１より低くなった場合
地盤３０中の地下水が流量調整弁１２を開いて最下レベルの吸排水口１１から管内に吸水される。吸出防止材２７の働きは状況▲５▼と同様である。
【００３５】
▲８▼  図８（ｂ）に示すように、管内流量が再び増加し、管内水位が高くなると、管内への吸水が止まり、状況▲１▼と同様の状況となる。
【００３６】
以上のように構築された浸透式管渠によれば、次のような作用効果が得られる。
【００３７】
（１）浸透式管渠本来の作用効果の向上
管内流量が増大し溢水が頻発する問題に対して、管渠の増径を行わなくとも、周辺地盤を排水性地盤３０とし、この排水性地盤３０に管内流水を効率的に浸透させることにより対応することができる。
また、地下水の低下・枯渇等の問題に対して、管内流水の一部を排水性地盤３０を経て現地地盤２０に浸透させることにより対応し、現地地盤２０の保水・遊水機能を向上させる。
【００３８】
（２）計画管内流量の調整と管内流水の地盤への浸透量の調整とが可能
吸排水口１１，１６，１７を備える嵌込側壁１０，１５をボックスカルバート本体２とは別体にプレキャストして、嵌込用窓６に嵌め込むようにしたことにより、嵌込側壁１０，１５の形状、吸排水口１１，１６，１７のレベル（高さ）や形状寸法を任意に決めることができる。
そして、吸排水口１１，１６，１７のレベルや形状寸法を調整した嵌込側壁１０，１５を形成するだけで、計画管内流量の調整および地盤３０，２０への浸透量の調整が可能となる。
【００３９】
（３）製造上の手間及びコストの軽減が可能
吸排水口１１，１６，１７を備える嵌込側壁１０，１５をボックスカルバート本体２とは別体にプレキャストするため、該ボックスカルバートを一体成形する場合よりも、製作上の手間が低減でき、コストも低減できる。特に吸排水口が穴の場合は、ボックスカルバートの一体成形に大変手間がかかるため、本発明は有効である。
【００４０】
（４）管内水位が低い時における管内流量の確保が可能
最下レベルの吸排水口１１に流量調整弁１２を設けたことにより、上記の状況▲１▼〜▲３▼で説明した通り、管内水位が低い時における、本来（管内を）流水すべき管内流量の確保が可能となる。
【００４１】
（５）管内流量の変化に対応した時間差吸排水が可能
最下レベルの吸排水口１１に流量調整弁１２を設け、さらに、吸排水口１１，１６，１７に吸出防止材２７を配置したことにより、上記の状況▲１▼〜▲８▼で説明した通り、管内流量の変化に対応した時間差吸排水が可能となる。これにより、現地地盤２０の急激な軟弱化を防止できる。
【００４２】
（６）地盤及び管渠の不等沈下の防止
上記（５）の時間差排水により、現地地盤２０及び浸透式管渠の不等沈下を防止できる。
また、浸透式ボックスカルバート１の直下に基礎コンクリート２５を敷設することも、前記不等沈下の防止に役立つ。さらに、通常はボックスカルバート１の直下にのみ敷設する基礎コンクリート２５を、ボックスカルバート１の直下をはみ出した溝底２３にまで敷設することにより、前記不等沈下をさらに防止できる。
【００４３】
（７）水質浄化機能の付加
排水性地盤３０は、礫間水質浄化作用を有する裏込砕石２８のみならず、水質浄化材を併用しているので、その水質浄化機能（本例の場合は「バイオループ」の生化学的除去による浄化機構）により、水質浄化が期待できる。
なお、裏込材としては、単粒度砕石、割栗石等の砕石のみならず、建設副産物としての廃棄コンクリートガラ等も使用できる。廃棄コンクリートガラを使用するときは、ある程度中性化したものを用いるか、そうでない場合はアルカリ中和剤を添加することが好ましい。
【００４４】
ところで、図９に示すように縦断勾配がある場合、（ａ）に示すように何も処置を施さない場合には、地下水位に対する吸排水口１１，１６，１７の相対レベルがずれ過ぎるので、管内流水を吸排水口１１，１６，１７から地盤へ効率良く浸透できない。そこで、（ｂ）に示すように、地下水位を階段状に配置できる遮水シート３３を例えば２０ｍ間隔程度で設置したり、（ｃ）に示すように、さらに吸排水口１１，１６，１７の形状寸法を調整したりすることにより、効率良い浸透を可能にすることができる。
【００４５】
［第二実施形態］
次に、図１０は第二実施形態の浸透式管渠を示している。この浸透式管渠は、現地地盤２０を溝状に掘削する際に、溝内側面を上広がりの斜面とするのではなく矢板３５を打ち込んで垂直面とし、矢板３５と排水性地盤３０との間に防水シート３６を配置した点において、第一実施形態と相違するものである。本実施形態は、市街地等の用地の制限がある場合に適する。
【００４６】
［第三実施形態］
次に、図１１は第三実施形態の浸透式管渠を示している。この浸透式管渠は、既設管渠のボックスカルバート４０の両方（又は片方）の側壁の外側方に第一実施形態の浸透式ボックスカルバート１を連結して並設し、両ボックスカルバート４０，１の隣り合う側壁に形成した連通穴（コア抜き穴）４１を合致させて連通させることにより、既設管渠断面を拡幅したものである。本実施形態によれば、例えば、管渠断面（管内通水断面）不足となった市街地等の既設管渠断面を任意に拡幅することができる。
【００４７】
なお、本発明は上記各実施形態に限定されるものではなく、本発明の趣旨を逸脱しない範囲で適宜に変更して具体化することもできる。
【００４８】
【発明の効果】
請求項１に係る発明は、計画管内流量の調整及び浸透量の調整を可能にし、製造上の手間及びコストを軽減する。
請求項２に係る発明は、請求項１に係る発明による効果と、管内水位が低い時における本来流水すべき管内流量の確保を可能にし、時間差吸排水を可能にし、現地の地盤の軟弱化や管渠の不等沈下の防止に寄与する効果を併せ持つ。
請求項３〜１９に係る発明は、これらの効果と前述した各効果とを併せ持つ。
【図面の簡単な説明】
【図１】本発明の第一実施形態の浸透式管渠の断面図である。
【図２】同浸透式管渠に使用する浸透式ボックスカルバートの斜視図である。
【図３】同浸透式ボックスカルバートの第一変更例の斜視図である。
【図４】同浸透式ボックスカルバートの第二変更例の断面図である。
【図５】同浸透式管渠による排水状況を示す断面図である。
【図６】同浸透式管渠による排水状況の続きを示す断面図である。
【図７】同浸透式管渠による吸水状況を示す断面図である。
【図８】同浸透式管渠による吸水状況の続きを示す断面図である。
【図９】同浸透式管渠に縦断勾配がある場合の側面図である。
【図１０】本発明の第二実施形態の浸透式管渠の断面図である。
【図１１】本発明の第三実施形態の浸透式管渠の断面図である。
【符号の説明】
１    浸透式ボックスカルバート
２    ボックスカルバート本体
３    底版
４    側壁
５    頂版
６    嵌込用窓
１０    嵌込側壁
１１    最下レベルの吸排水口
１２    流量調整弁
１５    嵌込側壁
１６    中レベルの吸排水口
１７    最上レベルの吸排水口
２０    現地地盤
２５    基礎コンクリート
２７    吸出防止材
２８    裏込砕石
２９    水質浄化材
３０    排水性地盤
３２    掘削土
４０    既設管渠のボックスカルバート
４１    連通穴
【図１】
0004420536.tif 000002
【図２】
0004420536.tif 000003
【図３】
0004420536.tif 000004
【図４】
0004420536.tif 000005
【図５】
0004420536.tif 000006
【図６】
0004420536.tif 000007
【図７】
0004420536.tif 000008
【図８】
0004420536.tif 000009
【図９】
0004420536.tif 000010
【図１０】
0004420536.tif 000011
【図１１】
0004420536.tif 000012